【手続補正書】
【提出日】平成15年12月22日(2003.12.22)
【手続補正１】
【補正対象書類名】明細書
【補正対象項目名】全文
【補正方法】変更
【補正の内容】
【発明の名称】給湯装置
【特許請求の範囲】
【請求項１】液体を収容する容器と、前記液体を加熱する加熱手段と、水道管からの給水が停止していることを検知する断水検知手段とを備え、前記断水検知手段にて水道管からの給水が停止していることを検知すると、前記加熱手段にて前記容器内の液体の加熱を行い、その後、所定の温度に保温する構成とした給湯装置。
【請求項２】断水検知手段にて水道管からの給水が停止していることを検知すると、加熱手段にて前記容器内の液体の加熱を行い、所定時間経過後、加熱手段をオフし、断水から復帰後、所定の温度に保温する構成とした請求項１に記載の給湯装置。
【請求項３】所定の温度を、通常保温する温度とした請求項１または２に記載の給湯装置。
【請求項４】所定の温度を、通常保温する温度と異なる温度とした請求項１に記載の給湯装置。
【請求項５】容器内の液体の量を検知する貯湯量検知手段を備え、前記貯湯量検知手段にて検知した量が所定の量より少ない場合には、断水検知手段にて断水を検知しても加熱手段による加熱を行わないで、断水から復帰したときに前記容器に液体を追加し加熱を行う構成とした請求項１〜４のいずれか１項に記載の給湯装置。
【請求項６】容器内の水を吐出する吐出手段を備え、断水検知手段にて断水を検知している状態においても、前記吐出手段にて、前記容器内の水を吐出できる構成とした請求項１〜４のいずれか１項に記載の給湯装置。
【請求項７】液体を収容する容器と、前記液体を加熱する加熱手段と、浄水カートリッジと、前記浄水カートリッジの有無を検知するカートリッジ検知手段とを備え、カートリッジが取り付けられていないことを前記カートリッジ検知手段にて検知すると、液体の加熱を行い、その後、液体を所定の温度に保温する構成とした給湯装置。
【請求項８】浄水カートリッジが取り付けられていないことをカートリッジ検知手段にて検知すると、液体の加熱を行い、その後、加熱手段をオフし、カートリッジが取り付けられたことを検知後、所定の温度に保温する構成とした請求項７に記載の給湯装置。
【請求項９】容器内の液体の量を検知する貯湯量検知手段を備え、前記貯湯量検知手段にて検知した量が所定の量より少ない場合には、浄水カートリッジが取り付けられていないことをカートリッジ検知手段にて検知しても、加熱を行わないで、カートリッジが取り付けられたことを検知したときに、前記容器に液体を追加し加熱を行う構成とした請求項７または８に記載の給湯装置。
【発明の詳細な説明】
【０００１】
【発明の属する技術分野】
本発明は、水道管に接続された給湯装置に関するものである。
【０００２】
【従来の技術】
従来この種の給湯装置は、浄水器付き電気湯沸かし器として、特開２００１−２６３８１９公報に記載されているようなものがあった。図１１は前記公報に記載された従来の浄水器付き電気湯沸かし器のブロック図を示すものである。
【０００３】
図１１において、貯湯容器２内のお湯の量を検知する水位検知手段１３にてお湯がある一定値より少ないのを検知すると、給水弁１４を開き、浄水を貯湯容器２に給水するが、もし水位検知手段１３にて水位の上昇が確認されない場合には、制御手段６にて断水と判断して、ヒーター４をオフにして、図示していない表示部やブザー等で断水報知する。
【０００４】
【発明が解決しようとする課題】
しかしながら、前記従来の構成では、断水を検知すると加熱をオフする構成となっており、断水を検知している間に、貯湯容器内で雑菌が繁殖するという問題があった。また、浄水用のカートリッジが無く容器内に水が給水できず通常動作を行えない場合に、容器内に雑菌が繁殖するという問題があった。
【０００５】
【課題を解決するための手段】
前記従来の課題を解決するために本発明は、断水検知手段にて断水を検知すると、加熱手段にて加熱を行うことにより容器内の雑菌を死滅させるものである。また、浄水用のカートリッジが取り付けられてないことを検知すると、液体の加熱を行い容器内に雑菌が繁殖することを防ぐものである。
【０００６】
【発明の実施の形態】
請求項１に記載の発明は、液体を収容する容器と、前記液体を加熱する加熱手段と、水道管からの給水が停止していることを検知する断水検知手段を備え、前記断水検知手段にて水道管からの給水が停止していることを検知すると、前記加熱手段にて前記容器内の液体の加熱を行い、その後、所定の温度に保温する構成とすることにより、容器内を常に高温に保温し雑菌を死滅させ、断水中に容器の中で雑菌が繁殖することを防ぐことが出来る。
【０００７】
請求項２に記載の発明は、特に請求項１において、断水検知手段にて水道管からの給水が停止していることを検知すると、加熱手段にて前記容器内の液体の加熱を行い、所定時間経過後、加熱手段をオフし、断水から復帰後、所定の温度に保温する構成とすることにより、容器内の雑菌を死滅させるだけでなく、消費電力を低減することが出来る。
【０００８】
請求項３に記載の発明は、特に請求項１または２において、所定の温度を、通常保温する温度とすることにより、容器内の雑菌の繁殖を防ぐだけでなく、断水が復帰したときに、すぐに湯を使用することができる。
【０００９】
請求項４に記載の発明は、特に請求項１において、所定の温度を、通常保温する温度と異なる温度とすることにより、例えば、通常保温する温度より低くすると保温時の消費電力を低減することが可能となる。
【００１０】
請求項５に記載の発明は、特に請求項１〜４において、容器内の液体の量を検知する貯湯量検知手段を備え、前記貯湯量検知手段にて検知した量が所定の量より少ない場合には、断水検知手段にて断水を検知しても加熱手段による加熱を行わないで、断水から復帰したときに前記容器に液体を追加し加熱を行う構成とすることにより、容器内の残水量が少ない場合に、無駄な電力の消費を抑えることができる。
【００１１】
請求項６に記載の発明は、特に請求項１〜４において、容器内の水を吐出する吐出手段を備え、断水検知手段にて断水を検知している状態においても、前記吐出手段にて、前記容器内の水を吐出できる構成とすることにより、断水中でも、容器内に残っているお湯は吐出することができ、使い勝手を向上させることができる。
【００１２】
請求項７に記載の発明は、液体を収容する容器と、前記液体を加熱する加熱手段と、浄水用のカートリッジと、カートリッジの有無を検知するカートリッジ検知手段とを備え、カートリッジが取り付けられていないことを前記カートリッジ検知手段にて検知すると、前記液体の加熱を行い、その後、液体を所定の温度に保温する構成とすることにより、カートリッジが無く容器内に水が給水できず通常動作を行えない場合においても、容器内に雑菌が繁殖することを防ぐことが出来る。
【００１３】
請求項８に記載の発明は、特に、請求項７において、カートリッジが取り付けられていないことをカートリッジ検知手段にて検知すると、液体の加熱を行い、所定時間経過後、加熱手段をオフし、カートリッジが取り付けられたことを検知後所定の温度に保温する構成とすることにより、容器内の雑菌の繁殖を防ぐだけでなく、消費電力を低減することが出来る。
【００１４】
請求項９に記載の発明は、特に請求項７または８において、容器内の液体の量を検知する貯湯量検知手段を備え、前記貯湯量検知手段にて検知した量が所定の量より少ない場合には、カートリッジが取り付けられていないことをカートリッジ検知手段にて検知しても、加熱を行わないでカートリッジが取り付けられたことを検知したときに、前記容器に液体を追加し加熱を行う構成とすることにより、容器内の残水量が少ない場合に無駄な電力の消費を抑えることができる。
【００１５】
【実施例】
（実施例１）
以下、本発明の実施例１について図面を参照にしながら説明する。図１において、１は水道管、２は分岐栓、３は止水栓である。４はキッチンユニット５内部に収められた給湯装置の水の加熱ユニットで、内部に水を入れる容器６がある。水道管１から分岐栓２により分岐した接続管７は、給水弁８を介して浄水カートリッジ９の入り口に取り付けられている。浄水カートリッジ９の出口には、水量検知センサ１１が接続され、さらにその先に切替弁１０が接続されている。
【００１６】
水量検知センサ１１は断水を検知する断水検知手段をなし、水の通過水量を検知するものであり、水が通過すると、内部の羽根が回転して、その回転軸に磁石が取り付けられ磁石の通過回数をホールＩＣで検知して、ホールＩＣからのパルス数をカウントすることにより通過水量を検知する仕組みとなっている。
【００１７】
容器６には水を加熱する加熱手段を構成する主ヒータ１２と加熱した水を保温する補助ヒータ１３と容器６の湯温を検出するサーミスタ等で構成される温度センサ１４とが当接されている。さらには、容器６内の水をキッチンユニット５上部に導水する排水手段の一部をなすポンプ１５が取り付けられている。
【００１８】
さらに、容器６上部には、満水を検知する満水検知センサ１６も取り付けられている。本実施例では、容器６の満水量を２０００ｍｌとしている。１７はキッチンユニット５の上部に設けられた水栓で、容器内の湯を導水する湯パイプ１８と、切替弁１０がオフしているときに接続される水パイプ１９と、容器６上部に連通した蒸気パイプ２０とを収納している。
【００１９】
２４は貯湯量検知手段であり、この検知結果より貯湯容量を前記操作部２２に表示する。その貯湯容量の検知方法は、ポンプ１５の駆動時間と、水量検知センサ１１の検知水量から演算されたものであり詳細は後述する。２５は停電時に貯湯量検知手段２４の検知量をバックアップするバックアップ手段である。
【００２０】
水栓１７の外面には操作部２２が設けられており、この中には、前述した排水手段の操作を行うロック解除スイッチ３３や出湯スイッチ３５等が備えられている。図２によりその詳細を説明する。
【００２１】
図２において、まず、浄水を出水する場合には、浄水スイッチ３１を押すと浄水ＬＥＤ３２が点灯して、給水弁８がオンする。給水弁８がオンすると、水道水は、浄水カートリッジ９を通過して、切替弁１０がオフとなっているので、水パイプ１９を通過して出水する。もう一度、浄水スイッチ３１を押すと浄水ＬＥＤ３２が消灯して、給水弁８がオフし、水パイプ１９からの出水が止まる。
【００２２】
次に、お湯を出湯するための排出手段の動作を説明する。ロック解除スイッチ３３を押すとロック解除ＬＥＤ３４が点灯する。その１０秒以内に出湯スイッチ３５を押すと、その出湯スイッチ３５を押している間のみ、ポンプ１５が駆動して、容器６内の湯は湯パイプ１８を通して出湯する。出湯スイッチ３５を離すと、その約１０秒後にロック解除ＬＥＤ３４が消灯するとともに、ポンプ１５がオフされて湯パイプ１８からの出湯は禁止状態となる。
【００２３】
次に、湯量表示例について図３により、その詳細を説明する。湯量１ＬＥＤ３６と湯量２ＬＥＤ３７、湯量３ＬＥＤ３８は、貯湯量検知手段２４の検知した貯湯量と温度センサ１４の検知温度に応じて変化する。
【００２４】
温度センサ１４の検知温度が９０℃未満の場合には、図３（ａ）の示すように、湯量１ＬＥＤ３６が点滅表示となる。温度センサ１４の検知温度が９０℃以上の場合には、貯湯量検知手段２４の推定した貯湯量に応じて変化する。貯湯量検知手段２４の推定した貯湯量が５００ｍｌ未満の場合には、（ｂ）に示すように、湯量１ＬＥＤ３６が点灯表示となり、貯湯量検知手段２４の検知した水量が１０００ｍｌ未満の場合には、（ｃ）に示すように、湯量１ＬＥＤ３６と湯量２ＬＥＤ３７が点灯表示となり、貯湯量検知手段２４の検知した水量が１０００ｍｌ以上の場合には（ｄ）に示すように、湯量１ＬＥＤ３６と湯量２ＬＥＤ３７、湯量３ＬＥＤ３８が点灯表示となる。
【００２５】
次に、実際の動作について、図１から図３を参照しながら説明する。電源を投入すると、切替弁１０がオンした後、給水弁８がオンする。給水弁８がオンすると水は、水道管１から浄水カートリッジ９を通過した後、切替弁１０によって、容器６に貯水していく。水量検知センサ１１によって通過水量が４００ｍｌに達すると、給水弁８と切替弁１０をオフして容器６内への貯水は止まる。その後、主ヒータ１２と補助ヒータ１３をオンして、容器６内の水を加熱する。
【００２６】
その時の操作部２２の表示は、温度センサ１４の検知温度が９０℃未満となっているので、図３（ａ）に示すように、湯量１ＬＥＤ３６が点滅表示となる。その後、温度センサ１４の検知温度が９０℃以上に達すると、図３（ｂ）に示すように、湯量１ＬＥＤ３６が点灯表示となる。さらに、温度センサ１４の検知温度が９５℃以上に達すると、再度、切替弁１０と給水弁８をオンして、容器６内に再び水を貯水していく。水量検知センサ１１により通過水量が１００ｍｌに達すると、給水弁８と切替弁１０をオフして容器６内への貯水を止める。ここで、貯湯量検知手段２４の推定した貯湯量は、前回の貯湯量と合わして、
４００ｍｌ＋１００ｍｌ＝５００ｍｌ
となる。また、図３（ｃ）に示すように、湯量１ＬＥＤ３６と湯量２ＬＥＤ３７が点灯表示となる。ここで、停電が発生しても、バックアップ手段２５によって、貯湯量検知手段２４の推定した貯湯量を記憶している。
【００２７】
停電から復帰した場合には、このバックアップ手段２５によって復帰させて、貯湯量検知手段２４の推定した貯湯量を５００ｍｌと設定し直す。温度センサ１４の検知温度が９５℃に達すると、切替弁１０と給水弁８をオンして、容器６内に水をさらに１００ｍｌ貯水する。このような給水動作を１５回繰り返すと、貯湯量検知手段２４の推定した貯湯量は、
４００ｍｌ＋１００ｍｌ×１５回＝１９００ｍｌ
となる。サーミスタ検知温度が９５℃に達して、容器６内に水を１００ｍｌ貯水するまでに満水検知センサ１６が容器６内の貯湯量を２０００ｍｌと検知すると、切替弁１０と給水弁８をオフして、貯水動作を終了する。それとともに、貯湯量検知手段２４の推定した貯湯量を２０００ｍｌと設定しなおす。その後、温度センサ１４の検知温度が９５℃に達すると主ヒータ１２と補助ヒータ１３をオフする。その時の操作部２２の表示は、図３（ｄ）に示すように、湯量１ＬＥＤ３６と湯量２ＬＥＤ３７、湯量３ＬＥＤ３８が点灯表示となる。温度センサ１４の検知温度が９５℃未満を検知すると、補助ヒータ１３がオンして容器６内のお湯を高温保温する。
【００２８】
以上のような繰り返し湯沸かし動作中あるいは保温状態中にロック解除スイッチ３３を押すとロック解除ＬＥＤ３４が点灯して、その１０秒以内に出湯スイッチ３５を押すと、ポンプ１５が駆動して、容器６内の湯を湯パイプ１８を通して出湯する。この時残水量を以下のように判断する。本実施例の場合には、ポンプ１５の出湯能力が、１分間で２４００ｍｌとなるように構成してあるので、１秒間あたりの出湯量を
２４００ｍｌ／６０ｓ＝４０ｍｌ／ｓ
として、記憶しておき、ポンプ１５の駆動時間の記憶されている単位秒あたりの出湯量から計算する。例えば３０秒間出湯が行われたとすると、出湯量は、
３０ｓ×４０ｍｌ＝１２００ｍｌ
となり、貯湯量検知手段２４の推定した貯湯量は、満水の場合は、
２０００ｍｌ−１２００ｍｌ＝８００ｍｌ
となる。すると図３（ｃ）に示すように、湯量１ＬＥＤ３６と湯量２ＬＥＤ３７が点灯表示となる。また貯湯量検知手段２４の推定した貯湯量が１０００ｍｌ未満となると、満水検知センサ１６が満水を検知するまで、容器６内への１００ｍｌ毎の貯水を行う。それとともに、主ヒータ１２と補助ヒータ１３による容器６の加熱も行う。
【００２９】
以上の動作の中で、容器６内への貯水動作を行う際や、浄水スイッチの動作により浄水を出水する際に、水量検知手段１１にて水の流れを検知するが、もし、貯水動作や出水動作を行っている状態であるにも関わらず、水量検知手段１１にて、水の流れを所定時間（本実施例では１０秒とする）連続して検出しなかった場合には、水道水の供給が行われていない断水状態であると判断し、湯量１ＬＥＤ３６と湯量３ＬＥＤ３８を交互点滅させ、断水状態であることを表示するとともに、ロック解除ボタンスイッチ３３と出湯ボタンスイッチ３５の受付を禁止する。（以下、この状態を断水検知状態とする。）つづいて、この断水検知状態の動作について、図４を用いて説明する。
【００３０】
断水を検知すると、ステップｓ１で先ず、給水弁８と切替弁１０をオフする。そして次に、温度センサ１４の検知温度を測定し（ステップｓ２）、その温度Ｔ１が９０℃未満であればｓ３に移行し、主ヒーター１２と補助ヒーター１３の両方をオンし、ステップｓ７へ移行する。
【００３１】
ステップｓ２で検知温度Ｔ１が９０℃以上であれば、ステップｓ４へ移行して再度検知温度Ｔ１の判定を行い、Ｔ１が９５℃未満であれば、ステップｓ５へ移行し、主ヒーター１２をオフさせ補助ヒーター１３をオンしてステップｓ７へ移行する。ステップｓ４にて検知温度Ｔ１が９５℃以上の場合には、ステップｓ６へ移行し、主ヒーター１２と補助ヒーター１３の両方をオフし、ステップｓ７へ移行する。
【００３２】
ステップｓ７では、浄水を出水する際のスイッチである浄水スイッチ３１が押されたかどうかを確認する。浄水スイッチ３１が押されていない場合には、ステップｓ２へ戻り、一方、押されたことを検知した場合には断水検知状態より復帰し、給水弁８をオンさせ、浄水の出水動作を開始する。
【００３３】
つまり、断水検知状態では、浄水スイッチ３１が押されるまでは、温度センサ１４の検知温度Ｔ１が約９５℃を維持するように加熱動作を行っており、この加熱動作により容器６内のお湯を高温に保ち、断水を検知している間に容器６内に雑菌が繁殖するのを防ぐことが可能となる。
【００３４】
なお、本実施例では、断水検知中は、約９５℃で保温維持するように主ヒーター１２及び補助ヒーター１３を動作させる構成としたが、保温温度は９５℃に限るものではなく、一般的には、６０℃以上であれば、雑菌の繁殖を抑えることができるとともに、保温温度を低くするほど、保温維持に要する電力量の消費を低減することが可能となる。また、ヒーターについても、主ヒーター１２を用いず補助ヒーター１３のみのオンオフ制御によっても、同様の効果が得られることは言うまでもない。
【００３５】
また、本実施例では、断水検知を水量検知センサ１４を用いて行う構成としたが、これに限るものではなく、例えば、容器内の貯湯量を検知する貯湯量検知手段２４によって、貯水動作による貯湯量の変化から断水を検知することも可能であるし、水管の音や振動を感知するセンサを用いて断水を検知することも可能である。
【００３６】
なお、本実施例では、容器６内の満水量を２０００ｍｌ、容器６内への１回の給水量を１００ｍｌとしているが、これらの水量に限定されるものではない。
【００３７】
また、断水検知中は出湯動作を禁止する構成としたが、ロック解除ボタンスイッチと出湯ボタンスイッチを受け付け、出湯可能とすることにより、断水中であっても、容器６内に残っているお湯に関しては出湯でき使い勝手を向上することも可能である。
【００３８】
また、本実施例では、断水検知中の表示を、湯量１ＬＥＤ３６と湯量３ＬＥＤ３８の交互点滅による表示としたが、これに限るものではなく、例えば、浄水ＬＥＤ３２を点滅させ、復帰するための操作を促す構成とすることにより、操作性を向上させることも可能である。また、断水検知専用のＬＥＤを設けることにより、表示内容を分かり易くし、使い勝手を向上させることも可能である。
【００３９】
また、本実施例では貯湯量検知手段２４を、水量検知センサ１１とポンプ１５の駆動時間と満水検知センサ１６を組み合わせて検知する構成としたが、これに限るものではなく、例えば、容器６の底部の一部に穴を設け、その穴を塞ぐように圧力センサを配置し、その圧力センサにかかる水圧を検知する構成や、フロートを容器６内に入れ、そのフロートの高さを検知して貯湯量を求める構成としても同様の効果が得られる。
【００４０】
（実施例２）
本発明の実施例２について図面を参照しながら説明する。図５は実施例２における断水検知状態の動作を示すフローチャートである。
【００４１】
断水を検知すると、ステップｓ１で先ず、給水弁８と切替弁１０をオフする。そして次に、温度センサ１４の検知温度を測定し（ステップｓ２）、その温度Ｔ１が９０℃未満であればｓ３に移行し、主ヒーター１２と補助ヒーター１３の両方をオンし、ステップｓ７へ移行する。
【００４２】
ステップｓ２で検知温度Ｔ１が９０℃以上であれば、ステップｓ４へ移行し再度検知温度Ｔ１の判定を行い、Ｔ１が９５℃未満であれば、ステップｓ５へ移行し、主ヒーター１２をオフさせ補助ヒーター１３をオンしてステップｓ７へ移行する。ステップｓ４にて検知温度Ｔ１が９５℃より大きい場合には、ステップｓ８へ移行する。
【００４３】
ここで、時間経過の測定（以下、計時とする）が開始されていなければ、ステップｓ９へ移行し計時を開始してからステップｓ６へ移行する。一方、ステップｓ８で計時がすでに開始されている場合は、そのままステップｓ６へ移行する。ステップｓ６では、主ヒーター１２と補助ヒーター１３の両方をオフし、ステップｓ７へ移行する。
【００４４】
ステップｓ７では、浄水を出水する際のスイッチである浄水スイッチ３１が押されたかどうかを確認する。浄水スイッチ３１が押されていない場合には、ステップｓ１０へ移行し、計時開始から５分以上経過している場合には、ステップｓ１１に移行して主ヒーター１２と補助ヒーター１３の両方をオフし、ｓ７に戻り、一方、５分以上経過していない場合もしくは計時を開始していない場合はステップｓ２に戻る。ｓ７にて浄水スイッチ３１が押されたことを検知した場合には、断水検知状態より復帰し、給水弁８をオンさせ、浄水の出水動作を開始する。
【００４５】
つまり、浄水スイッチ３１が押されるまでは、温度センサ１４の検知温度Ｔ１が約９５℃を維持するような加熱動作を最低５分間は行い、この加熱動作により最低５分以上は容器６内のお湯を高温に保ち、断水を検知している間に容器６内に雑菌が繁殖するのを防ぐだけでなく、約９５℃を維持するような加熱動作を最低５分間行ったあとは、主ヒーター１２と補助ヒーター１３の両方をオフさせることにより、加熱手段により消費する電力を大幅に低減することができる。
【００４６】
なお、本実施例では、最低５分間は約９５℃で保温する制御を行う構成としたが、高温で保温する最低時間は５分に限ったものでなく、雑菌の繁殖を防ぐのに十分な時間であれば良いことは言うまでもない。
【００４７】
（実施例３）
本発明の実施例３について図面を参照しながら説明する。図６は実施例３における断水検知状態の動作を示すフローチャートであり、実施例１と同様の部分には同じステップ番号を付している。
【００４８】
本実施例が、実施例１と大きく異なる点は、ステップｓ１２とｓ１３が追加されているところである。このステップｓ１２とｓ１３により、貯湯量検知手段２４で検知した容器６に残っているお湯が２００ｍｌ未満の場合には、主ヒーター１２と補助ヒーター１３をオフし加熱を停止する構成となっている。
【００４９】
これにより、容器６内の残水量が少ない場合は、加熱及び保温を行っても、断水から復帰したときに浄水が追加され、再度加熱を行わなければならず、断水中の無駄な加熱動作を排除し消費電力を抑えることが可能となる。
【００５０】
なお、本実施例では、残水量２００ｍｌを加熱動作を行う境界としたが、２００ｍｌに限る必要はなく、例えば残水量０ｍｌを境界とすることにより、容器内に湯が少しでも残っている場合は加熱を行い、雑菌の繁殖を更に抑えることが可能となる。
【００５１】
（実施例４）
本発明の実施例４について図面を参照しながら説明する。図７は実施例４における給湯装置のブロック図である。
【００５２】
本実施例が、実施例１と大きく異なる点は、浄水カートリッジ９の取り付けの有無を検知するカートリッジ検知手段４０を備えた点である。このカートリッジ検知手段４０は、スイッチ等で構成され、浄水カートリッジ９が正常に取り付けられると、カートリッジ検知手段４０を構成するスイッチがオンされ、浄水カートリッジ９が取り付けられていることを認識し、一方、このスイッチがオフすると、浄水カートリッジ９が取り付けられていないと判断する。浄水カートリッジ９が取り付けられていないことを検知すると、操作部２２の湯量２ＬＥＤ３７を点滅する表示を行う。以下、このカートリッジ検知手段４０にて浄水カートリッジ９が取り付けられていないことを検知したときの動作について、図８を参照しながら説明する。
【００５３】
図８は浄水カートリッジ９が取り付けられていないことを検知したときの動作を示すフローチャートである。
【００５４】
浄水カートリッジ９が取り付けられていないことを検知すると、ステップｓ５１で先ず、給水弁と切替弁をオフする。そして次に、温度センサ１４の検知温度を測定し（ステップｓ５２）、その温度Ｔ１が９０℃未満であればｓ５３に移行し、主ヒーター１２と補助ヒーター１３の両方をオンし、ステップｓ５７へ移行する。
【００５５】
ステップｓ５２で検知温度Ｔ１が９０℃以上であれば、ステップｓ５４へ移行し、検知温度Ｔ１の判定を行い、Ｔ１が９５℃未満であれば、ステップｓ５５へ移行し、主ヒーター１２をオフさせ補助ヒーター１３をオンしてステップｓ５７へ移行する。ステップｓ５４にて検知温度Ｔ１が９５℃以上の場合には、ステップｓ５６へ移行し、主ヒーター１２と補助ヒーター１３の両方をオフし、ステップｓ５７へ移行する。
【００５６】
ステップｓ５７では、浄水カートリッジ９が取り付けられているかどうかを検知する。取り付けられていない場合にはステップｓ５２へ戻り、取り付けられていることを検知した場合には、通常動作に復帰する。
【００５７】
つまり、浄水カートリッジ９が正常に取り付けられるまでは、温度センサ１４の検知温度Ｔ１が約９５℃を維持するように加熱動作を行っており、この加熱動作により容器６内のお湯を高温に保ち、容器６内に雑菌が繁殖するのを防ぐことが可能となる。
【００５８】
なお、本実施例では、浄水カートリッジが取り付けられていない状態では、約９５℃で保温維持するように主ヒーター１２及び補助ヒーター１３を動作させる構成としたが、保温温度は９５℃に限るものではなく、一般的には、６０℃以上であれば、雑菌の繁殖を抑えることができるとともに、保温温度を低くするほど、保温維持に要する電力量の消費を低減することが可能となる。また、ヒーターについても、主ヒーター１２を用いず補助ヒーター１３のみのオンオフ制御によっても、同様の効果が得られる。
【００５９】
また、浄水カートリッジ９が取り付けられていないと検知している間も、ロック解除スイッチ３３と出湯スイッチ３５を受け付け、出湯可能とすることにより、容器６内に残っているお湯に関しては出湯でき使い勝手を向上することも可能である。
【００６０】
また、本実施例では、浄水カートリッジ９が取り付けられていないときの表示を、湯量２ＬＥＤ３７の点滅による表示としたが、これに限るものではなく、例えば、カートリッジ取り付け有無専用のＬＥＤを設け、カートリッジの取り付けを促す構成とすることにより、表示内容が分かり易くなり、使い勝手を向上させることも可能である。
【００６１】
（実施例５）
本発明の実施例５について図面を参照しながら説明する。図９は実施例５において、浄水カートリッジ９が取り付けられていないことを検知したときの動作を示すフローチャートである。
【００６２】
浄水カートリッジ９が取り付けられていないことを検知すると、ステップｓ５１で先ず、給水弁８と切替弁１０をオフする。そして次に、温度センサ１４の検知温度を測定し（ステップｓ５２）、その温度Ｔ１が９０℃未満であればｓ５３に移行し、主ヒーター１２と補助ヒーター１３の両方をオンし、ステップｓ５７へ移行する。
【００６３】
ステップｓ５２で検知温度Ｔ１が９０℃以上であれば、ステップｓ５４へ移行し再度検知温度Ｔ１の判定を行い、Ｔ１が９５℃未満であれば、ステップｓ５５へ移行し、主ヒーター１２をオフさせ補助ヒーター１３をオンしてステップｓ５７へ移行する。ステップｓ５４にて検知温度Ｔ１が９５℃以上の場合には、ステップｓ５８へ移行する。
【００６４】
ここで、時間経過の測定（以下、計時とする）が開始されていなければ、ステップｓ５９へ移行し計時を開始してからステップｓ５６へ移行する。一方、ステップｓ５８で計時がすでに開始されている場合は、そのままステップｓ５６へ移行する。ステップｓ５６では、主ヒーター１２と補助ヒーター１３の両方をオフし、ステップｓ５７へ移行する。
【００６５】
ステップｓ５７では、浄水カートリッジ９が取り付けられているかどうかを検知する。取り付けられていない場合にはステップｓ６０へ移行し、計時開始から５分以上経過している場合には、ステップｓ６１に移行して主ヒーター１２と補助ヒーター１３の両方をオフしてｓ５７に戻り、５分以上経過していない場合もしくは計時を開始していない場合はステップｓ５２に戻る。一方、ｓ５７にて浄水カートリッジが取り付けられていることを検知した場合には、通常動作に復帰する。
【００６６】
つまり、浄水カートリッジが正常に取り付けられるまでは、温度センサ１４の検知温度Ｔ１が約９５℃を維持するような加熱動作を最低５分間は行い、この加熱動作により最低５分以上は容器６内のお湯を高温に保ち、容器６内に雑菌が繁殖するのを防ぐだけでなく、約９５℃を維持するような加熱動作を最低５分間行ったあとは、主ヒーター１２と補助ヒーター１３の両方をオフさせることにより、加熱手段により消費する電力を大幅に低減することができる。
【００６７】
なお、本実施例では、最低５分間は約９５℃で保温する制御を行う構成としたが、高温で保温する最低時間は５分に限ったものでなく、雑菌の繁殖を防ぐのに十分な時間であれば良いことは言うまでもない。
【００６８】
（実施例６）
本発明の実施例６について図面を参照しながら説明する。図１０は実施例６において浄水カートリッジ９が取り付けられていないことを検知したときの動作を示すフローチャートであり、実施例４と同様の部分には同じステップ番号を付している。
【００６９】
本実施例が、実施例４と大きく異なる点は、ステップｓ６２とｓ６３が追加されているところである。このステップｓ６２とｓ６３により、貯湯量検知手段２４で検知した容器６に残っているお湯の量が２００ｍｌ未満の場合には、主ヒーター１２と補助ヒーター１３の両方をオフし加熱を停止する構成となっている。
【００７０】
これにより、容器６内の残水量が少ない場合は、加熱及び保温を行っても、浄水カートリッジが取り付けられたときに容器６内に浄水が追加され、再度加熱を行わなければならず、浄水カートリッジが取り付けられていない間の無駄な加熱動作を排除し消費電力を抑えることが可能となる。
【００７１】
なお、本実施例では、残水量２００ｍｌを加熱動作を行う境界としたが、２００ｍｌに限る必要はなく、例えば残水量０ｍｌを境界とすることにより、容器内に湯が少しでも残っている場合は加熱を行い、雑菌の繁殖を更に抑えることが可能となる。
【００７２】
【発明の効果】
以上のように、本発明によれば、断水検知中も容器内の液体を加熱する動作を行うことにより、容器内を常に高温に保温し雑菌を死滅させ、断水中に容器の中で雑菌が繁殖することを防ぐことが出来る。
【図面の簡単な説明】
【図１】本発明の実施例１における給湯装置のブロック図
【図２】本発明の実施例１における給湯装置の操作部を示す図
【図３】（ａ）本発明の実施例１における給湯装置の温度センサの検知温度が９０℃未満となっている時の操作部表示を示す図
（ｂ）同、給湯装置の温度センサの検知温度が９０℃以上に達し、かつ貯湯量検知手段の推定した貯湯量が５００ｍｌ未満の場合の操作部表示を示す図
（ｃ）同、給湯装置の貯湯量検知手段の検知した水量が１０００ｍｌ未満の場合の操作部表示を示す図
（ｄ）同、給湯装置の貯湯量が満杯になり、かつ保温状態になったときの操作部表示を示す図
【図４】本発明の実施例１における断水検知時の動作を示すフローチャート
【図５】本発明の実施例２における断水検知時の動作を示すフローチャート
【図６】本発明の実施例３における断水検知時の動作を示すフローチャート
【図７】本発明の実施例４における給湯装置のブロック図
【図８】本発明の実施例４における浄水カートリッジ無しのときの動作を示すフローチャート
【図９】本発明の実施例５における浄水カートリッジ無しのときの動作を示すフローチャート
【図１０】本発明の実施例６における浄水カートリッジ無しのときの動作を示すフローチャート
【図１１】従来の浄水器付き電気湯沸かし器を示すブロック図
【符号の説明】
１    水道管
６    容器
９    浄水カートリッジ
１１  水量検知センサ（断水検知手段）
１２  主ヒーター（加熱手段）
１３  補助ヒーター（加熱手段）
１５  ポンプ（吐出手段）
２２  操作部
２４  貯湯量検知手段
４０  カートリッジ検知手段